(57)【要約】【課題】  ケースに対するバンドの連結状態を緩むことなく確実に維持することができるバンド取付装置およびそれを備えた時計を提供する。【解決手段】  バンド取付部２０が設けられた腕時計ケース１と、このバンド取付部２０が配置されるバンド装着部２１が設けられた時計バンド４と、この時計バンド４のバンド装着部２１をバンド取付部２０に連結する連結部材２２と、バンド取付部２０に対する連結部材２２の軸方向の位置を規制する規制部材２３と、を備えている。従って、連続する細かい振動や、腕に対する時計バンド４の着脱操作による時計バンド４の回転動作などによって、腕時計ケース１に対する時計バンド４の連結状態が緩むことがなく、腕時計ケース１に対する時計バンド４の連結状態を確実に維持することができる。【選択図】        図２
2018081032.tif 000002
【特許請求の範囲】
【請求項１】
バンド取付部が設けられたケースと、
前記バンド取付部が配置される装着部が設けられたバンドと、
前記バンドの前記装着部を前記バンド取付部に連結する連結部材と、
前記バンド取付部に対する前記連結部材の軸方向の位置を規制する規制部材と、
を備えていることを特徴とするバンド取付装置。
【請求項２】
請求項１に記載のバンド取付装置において、前記連結部材は、前記規制部材によって前記連結部材の軸方向の位置が規制される係合部を備えていることを特徴とするバンド取付装置。
【請求項３】
請求項１または請求項２に記載のバンド取付装置において、前記連結部材は、前記バンド取付部に設けられた取付孔と前記装着部に前記取付孔と同一軸上に対応して設けられた連結孔とに挿入するピン部材と、前記装着部の前記連結孔に挿入されて前記ピン部材の両端部にこれらを覆ってそれぞれ取り付けられる飾り部材と、を備えていることを特徴とするバンド取付装置。
【請求項４】
請求項３に記載のバンド取付装置において、前記飾り部材には、前記規制部材が係合する前記係合部が設けられ、前記規制部材には、前記飾り部材の前記係合部に前記連結部材の軸方向と直交する方向から係合する規制部が設けられていることを特徴とするバンド取付装置。
【請求項５】
請求項１〜請求項４のいずれかに記載のバンド取付装置において、前記ケースに固定されて前記規制部材を前記連結部材に押し付ける押え部材を備えていることを特徴とするバンド取付装置。
【請求項６】
請求項５に記載のバンド取付装置において、前記押え部材は、前記連結部材に回転可能に取り付けられていることを特徴とするバンド取付装置。
【請求項７】
請求項１〜請求項６のいずれかに記載されたバンド取付装置を備えていることを特徴とする時計。
【発明の詳細な説明】
【技術分野】
【０００１】
この発明は、腕時計などの腕装着装置やバッグ、鞄などに用いられるバンド取付装置およびそれを備えた時計に関する。
【背景技術】
【０００２】
例えば、腕時計においては、特許文献１に記載されているように、腕時計ケースの外周に設けられたバンド取付部に時計バンドの端部を配置し、この状態で時計バンドの端部を腕時計ケースのバンド取付部にねじ止めすることにより、時計バンドを腕時計ケースに取り付けるバンド取付装置が知られている。
【先行技術文献】
【特許文献】
【０００３】
【特許文献１】特開平０６−３５０５０７号公報
【０００４】
この種のバンド取付装置は、腕時計ケースにバンド取付部を切欠き凹部状に形成し、時計バンドの端部に連結突起部を形成し、この連結突起部を腕時計ケースのバンド取付部内に配置し、この状態で連結突起部をバンド取付部にねじによって固定するように構成されている。
【０００５】
また、このバンド取付装置は、腕時計ケースのバンド取付部に時計バンドの連結突起部をねじによって固定した状態で、腕時計ケースの下面に裏蓋を配置し、この裏蓋でバンド取付部と連結突起部とを覆い、この裏蓋を腕時計ケースに別のねじによって取り付けることにより、時計バンドの連結突起部を裏蓋とバンド取付部との間に挟み付けるように構成されている。
【発明の概要】
【発明が解決しようとする課題】
【０００６】
このような腕時計のバンド取付装置では、時計バンドの連結突起部を腕時計ケースのバンド取付部にねじ止めすると共に、裏蓋を腕時計ケースの下面にねじ止めした構成であるから、連続する細かい振動や、腕に対する時計バンドの着脱操作による時計バンドの回転動作などによって、ねじが緩んで腕時計ケースに対する時計バンドの連結状態が緩んでしまうという問題がある。
【０００７】
この発明が解決しようとする課題は、ケースに対するバンドの連結状態を緩むことなく確実に維持することができるバンド取付装置およびそれを備えた時計を提供することである。
【課題を解決するための手段】
【０００８】
この発明は、バンド取付部が設けられたケースと、前記バンド取付部が配置される装着部が設けられたバンドと、前記バンドの前記装着部を前記バンド取付部に連結する連結部材と、前記バンド取付部に対する前記連結部材の軸方向の位置を規制する規制部材と、を備えていることを特徴とするバンド取付装置である。
【発明の効果】
【０００９】
この発明によれば、連続する細かい振動や、腕に対するバンドの着脱操作によるバンドの回転動作などによって、ケースに対するバンドの連結状態が緩むことがなく、ケースに対するバンドの連結状態を確実に維持することができる。
【図面の簡単な説明】
【００１０】
【図１】この発明を腕時計に適用した一実施形態を示した斜視図である。
【図２】図１に示された腕時計をＡ−Ａ矢視において破断した状態を示した拡大斜視図である。
【図３】図１に示された腕時計の分解斜視図である。
【発明を実施するための形態】
【００１１】
以下、図１〜図３を参照して、この発明を腕時計に適用した一実施形態について説明する。
この腕時計は、図１に示すように、腕時計ケース１を備えている。この腕時計ケース１の３時側には、竜頭などのスイッチ装置２が設けられており、この腕時計ケース１の２時側、４時側、８時側および１０時側には、押釦スイッチ３がそれぞれ設けられている。
【００１２】
また、この腕時計ケース１の１２時側と６時側とには、図１に示すように、時計バンド４がバンド取付装置５によってそれぞれ取り付けられている。この場合、腕時計ケース１は、図３に示すように、ケース本体６と、このケース本体６の外周に装着される外装部材７と、を備えている。ケース本体６は、ガラス繊維が混入された硬質の合成樹脂で形成されている。
【００１３】
このケース本体６は、図３に示すように、その上部開口部に時計ガラス８がガラスパッキン８ａを介して取り付けられ、この時計ガラス８の下側に位置するケース本体６内に見切り部材９が配置されるように構成されている。また、このケース本体６は、その内部に時計モジュール１０が中枠１１を介して配置され、ケース本体６の下部に裏蓋１２が防水リング１２ａを介してビス１３によって取り付けられるように構成されている。
【００１４】
この場合、時計モジュール１０は、図３に示すように、指針１０ａを運針させて時刻を指示する時計ムーブメント、時刻などの情報を電気光学的に表示する表示部、これらを電気的に駆動する回路部などの時計機能に必要な各種の部品（いずれも図示せず）を備えている。また、ケース本体６には、スイッチ装置２の操作軸が取り付けられるスイッチ取付孔６ａ、および複数の押釦スイッチ３の各軸部がそれぞれ取り付けられる複数の釦挿入孔６ｂが設けられている。
【００１５】
一方、外装部材７は、図３に示すように、ウレタン樹脂などの軟質の合成樹脂製によってほぼリング状に形成され、ケース本体６の上部外周に装着されてねじ止めされるように構成されている。この外装部材７は、その上部外周にリング状のベゼル１４が連結リング１５を介して装着されるように構成されている。また、この外装部材７は、その内部下側に世界の各都市名が表示された都市コードリング１７が両面接着テープ１７ａによって貼り付けられるように構成されている。
【００１６】
この外装部材７の外周部には、図３に示すように、スイッチ装置２の操作頭部が外部に露出した状態で配置されるスイッチ露出孔７ａがケース本体６のスイッチ取付孔６ａに対応して設けられている。また、この外装部材７の外周部には、複数の押釦スイッチ３の各釦頭部がそれぞれ外部に露出した状態で配置される複数の釦露出孔７ｂがケース本体６の複数の釦挿入孔６ｂに対応して設けられている。この場合、外装部材７は、そのスイッチ露出孔７ａの周囲にスイッチ装置２の操作頭部を保護する保護部材１８が保護連結片１８ａを介してビス１８ｂによって取り付けられるように構成されている。
【００１７】
ところで、バンド取付装置５は、図２および図３に示すように、ケース本体６の１２時側と６時側とに設けられたバンド取付部２０と、時計バンド４の端部４ａに設けられてバンド取付部２０が配置されるバンド装着部２１と、このバンド装着部２１をバンド取付部２０に連結するほぼ軸状の連結部材２２と、バンド取付部２０に対する連結部材２２の軸方向の位置を規制する規制部材２３と、ケース本体６に対して固定されて規制部材２３を連結部材２２に押し付ける押え部材２４と、を備えている。
【００１８】
バンド取付部２０は、図２および図３に示すように、ケース本体６の外周面から突出して設けられ、この突出した先端部に取付孔２０ａが時計バンド４の長手方向と直交する方向（幅方向）に貫通して設けられている。このバンド取付部２０は、時計バンド４の長手方向と直交する方向の長さが、時計バンド４の端部４ａにおける時計バンド４の長手方向と直交する方向の長さよりも短く形成されている。
【００１９】
時計バンド４は、図２および図３に示すように、ウレタン樹脂などの軟質の合成樹脂によって形成され、その端部４ａにケース本体６のバンド取付部２０が配置されるバンド装着部２１が設けられた構成になっている。このバンド装着部２１は、時計バンド４の端部４ａに設けられた切欠き凹部であり、ケース本体６側に位置する先端側と上面側とに開放されている。
【００２０】
この場合、バンド装着部２１は、図２および図３に示すように、その内部における時計バンド４の長手方向の長さが、ケース本体６の外周面から突出したバンド取付部２０の突出長さとほぼ同じで長さで形成されている。また、このバンド装着部２１は、その内部における時計バンド４の長手方向と直交する方向の長さが、バンド取付部２０における時計バンド４の長手方向と直交する方向の長さよりも長く、かつ時計バンド４の端部４ａにおける時計バンド４の長手方向と直交する方向の長さよりも短い長さで形成されている。
【００２１】
また、このバンド装着部２１は、図２および図３に示すように、その内部における上下方向の長さ（深さ）が、ケース本体６のバンド取付部２０の上下方向の長さ（厚み）とほぼ同じか、それよりも少し長く（深く）形成されている。さらに、このバンド装着部２１の両側部には、連結孔２１ａがバンド取付部２０の取付孔２０ａと同一軸上に対応してそれぞれ設けられている。これら連結孔２１ａの各内面には、補強用のカーボン樹脂層２１ｂが設けられている。また、これら連結孔２１ａそれぞれは、その内径がバンド取付部２０の取付孔２０ａの内径よりも大きく形成されている。
【００２２】
連結部材２２は、図２および図３に示すように、バンド取付部２０の取付孔２０ａとバンド装着部２１の両側部の各連結孔２１ａとに挿入するピン部材２５と、バンド装着部２１の両側部の各連結孔２１ａに挿入してピン部材２５の両端部にこれらを覆って取り付けられる一対の飾り部材２６と、を備えている。ピン部材２５は、両端部が先細の丸棒状に形成されている。このピン部材２５は、その外径がケース本体６のバンド取付部２０に設けられた取付孔２０ａの内径とほぼ同じ大きさで形成されている。
【００２３】
また、このピン部材２５は、図２に示すように、その軸方向の長さが時計バンド４の端部４ａにおける時計バンド４の長手方向と直交する方向（幅方向）の長さと同じか、それよりも少し短い長さで形成されている。これにより、ピン部材２５は、時計バンド４のバンド装着部２１における両側部に設けられた連結孔２１ａの一方側からケース本体６のバンド取付部２０の取付孔２０ａに挿入され、この挿入された端部がバンド装着部２１の両側部に設けられた他方の連結孔２１ａに挿入するように構成されている。
【００２４】
一対の飾り部材２６は、図２および図３に示すように、ポリアミド樹脂などの合成樹脂によってほぼ筒状に形成されている。すなわち、これら一対の飾り部材２６それぞれは、筒部２６ａと蓋部２６ｂとを備えている。筒部２６ａは、その内部に金属製の補強パイプ２６ｃが配置されている。この補強パイプ２６ｃは、その内径がピン部材２５の外径とほぼ同じ大きさに形成されている。
【００２５】
筒部２６ａは、図２に示すように、その内径が補強パイプ２６ｃの外径と同じ大きさで、外径が時計バンド４のバンド装着部２１における両側部に設けられた各連結孔２１ａの内径とほぼ同じ大きさに形成されている。この筒部２６ａは、その軸方向の長さが、時計バンド４のバンド装着部２１における両側部に亘る長さ、つまりバンド装着部２１の両側部における時計バンド４の長手方向と直交する方向の長さよりも少し長い長さで形成されている。
【００２６】
蓋部２６ｂは、図２に示すように、筒部２６ａの外端部にこれを塞いで設けられ、その外径が筒部２６ａの外径およびバンド装着部２１の両側部に設けられた各連結孔２１ａの内径よりも大きく形成されている。これにより、一対の飾り部材２６は、各筒部２６ａの補強パイプ２６ｃにピン部材２５の両端部が挿入されて各蓋部２６ｂの内面に当接または接近した際に、各蓋部２６ｂの外周部がバンド装着部２１の両側部の各外面に当接し、各筒部２６ａの内端部がバンド取付部２０の両端部に当接または接近するように構成されている。
【００２７】
規制部材２３は、図２および図３に示すように、ケース本体６のバンド取付部２０の上面に配置される板状部２７と、この板状部２７の両側部に設けられてバンド取付部２０の両側部に対応する箇所の連結部材２２をその軸方向と直交する方向に押え付ける一対の側壁部２８と、を備えている。この規制部材２３は、板状部２７と一対の側壁部２８とがポリアミド樹脂などの透明な合成樹脂で一体に形成されていると共に、その内面に補強用のカーボン樹脂層２３ａが設けられた構成になっている。
【００２８】
この場合、板状部２７には、図３に示すように、ピンセットなどの工具（図示せず）が挿入して規制部材２３を摘まむための複数の孔部２７ａが設けられている。すなわち、これら複数の孔部２７ａは、ピンセットなどの工具が挿入されて規制部材２３を摘まむことにより、規制部材２３をケース本体６のバンド取付部２０の上面に配置させたり、バンド取付部２０から規制部材２３を取り外したりするためのものである。
【００２９】
一対の側壁部２８には、図２および図３に示すように、連結部材２２の一対の飾り部材２６の外周面にそれぞれ設けられた各係合溝２６ｄに連結部材２２の軸方向と直交する方向からそれぞれ係合することにより、一対の飾り部材２６の軸方向の位置を規制する規制部２８ａがそれぞれ設けられている。
【００３０】
すなわち、一対の飾り部材２６における各筒部２６ａの外周面には、図２および図３に示すように、各係合溝２６ｄが一対の側壁部２８に対してそれぞれ環状に設けられている。規制部２８ａは、筒部２６ａの係合溝２６ｄに連結部材２２の軸方向と直交する方向に係合する円弧状の切欠き凹部であり、一対の側壁部２８の下端部にそれぞれ設けられている。
【００３１】
これにより、規制部材２３は、図２に示すように、板状部２７がケース本体６のバンド取付部２０の上面に配置された際に、一対の側壁部２８の各規制部２８ａが連結部材２２の一対の飾り部材２６における各筒部２６ａにそれぞれ設けられた各係合溝２６ｄに係合して、各筒部２６ａをその軸方向と直交する方向（径方向）に押え付け、この状態で一対の飾り部材２６の軸方向の位置を規制して、連結部材２２の軸方向の位置を規制するように構成されている。
【００３２】
一方、押え部材２４は、図２および図３に示すように、規制部材２３の上面に配置される押え部３０と、この押え部３０の下面に設けられて連結部材２２に回転可能に取り付けられる一対の回転取付部３１と、押え部３０の両側部に設けられて外装部材７に固定される一対の固定部３２と、を備え、これらがウレタン樹脂などの軟質の合成樹脂によって一体に形成されている。
【００３３】
この場合、この押え部３０は、図２および図３に示すように、時計バンド４の長手方向の長さが、規制部材２３における時計バンド４の長手方向の長さとほぼ同じ長さに形成されている。また、この押え部３０は、時計バンド４の長手方向と直交する方向の長さが、規制部材２３における時計バンド４の長手方向と直交する方向の長さよりも長く、かつ時計バンド４のバンド装着部２１内における長手方向と直交する方向の長さとほぼ同じ長さで形成されている。この押え部３０には、規制部材２３の板状部２７の上面の一部を露出させるための装飾用の開口部３０ａが設けられている。
【００３４】
一対の回転取付部３１それぞれは、図２および図３に示すように、バンド取付部２０の両側部とこれに対応するバンド装着部２１の両側部との間に配置され、この状態で連結部材２２の一対の飾り部２６における各筒部２６ａがそれぞれ挿入する筒取付孔３１ａが設けられた構成になっている。すなわち、一対の回転取付部３１は、連結部材２２の軸方向と直交する方向の長さが、規制部材２３の一対の側壁部２８における連結部材２２の軸方向と直交する方向の長さよりも長く、かつバンド装着部２１の上下方向の長さ（深さ）とほぼ同じ長さで形成されている。
【００３５】
このため、これら一対の回転取付部３１は、図２および図３に示すように、押え部３０が規制部材２３の板状部２７の上面に配置された際に、規制部材２３の一対の側壁部２８の各外側面と時計バンド４のバンド装着部２１における両側部の各内面との間を通して、バンド装着部２１の内部に挿入され、この状態で一対の回転取付部３１の各筒取付孔３１ａがバンド装着部２１の両側部の各連結孔２１ａと同一軸上に対応するように構成されている。
【００３６】
これにより、押え部材２４は、図２および図３に示すように、押え部３０が規制部材２３の板状部２７の上面に配置されて、一対の回転取付部３１がバンド装着部２１の内部に挿入された状態で、連結部材２２の一対の飾り部材２６の各筒部２６ａが一対の回転取付部３１の各筒取付孔３１ａに挿入されることにより、連結部材２２に回転可能な状態で取り付けられるように構成されている。
【００３７】
一対の固定部３２は、図２および図３に示すように、押え部３０の両側部から外装部材７の外周に沿って突出して形成され、この突出した箇所にビス３３がワッシャ３３ａを介して挿入するビス挿入孔３２ａがそれぞれ設けられた構成になっている。この場合、外装部材７の外周部には、一対の固定部３２がそれぞれ対応する一対の突起部３４が形成されている。これら一対の突起部３４には、ビス３３が螺着するねじ孔３４ａが一対の固定部３２の各ビス挿入孔３２ａにそれぞれ対応して設けられている。
【００３８】
これにより、押え部材２４は、図２および図３に示すように、押え部３０が規制部材２３の板状部２７の上面に配置されて、一対の回転取付部３１が連結部材２２の一対の飾り部材２６に回転可能に取り付けられ、この状態で押え部３０を外装部材７に接近する方向に回転させた際に、一対の固定部３２が外装部材７の一対の突起部３４に対応して、一対の固定部３２の各ビス挿入孔３２ａが一対の突起部３４の各ねじ孔３４ａに対応するように構成されている。
【００３９】
また、この押え部材２４は、図２および図３に示すように、一対の固定部３２の各ビス挿入孔３２ａが一対の突起部３４の各ねじ孔３４ａに対応した状態で、一対の固定部３２の各ビス挿入孔３２ａに各ビス３３をワッシャ３３ａと共に挿入させて一対の突起部３４の各ねじ孔３４ａに螺着させることにより、押え部３０が規制部材２３を連結部材２２の一対の飾り部２６に押え付けた状態で、外装部材７に固定され、これによりケース本体６に対して固定されるように構成されている。
【００４０】
次に、この腕時計の作用について説明する。
この腕時計を組み立てる場合には、まず、腕時計ケース１を組み立てる。この場合には、ケース本体６の上部開口部に見切り部材９を上方から装着させ、この状態でケース本体６の上部開口部に時計ガラス８をガラスパッキン８ａと共に上方から取り付ける。そして、ケース本体６の上部外周に外装部材７を装着させる。
【００４１】
このときには、外装部材７のスイッチ露出孔７ａをケース本体６のスイッチ取付孔６ａに対応させると共に、外装部材７の複数の釦露出孔７ｂをケース本体６の複数の釦挿入孔６ｂにそれぞれ対応させる。この状態で、ケース本体６の上部外周に外装部材７をねじ止めする。そして、外装部材７におけるスイッチ露出孔７ａの周囲にスイッチ装置２の操作頭部を保護する保護部材１８を保護連結片１８ａと共に配置して、この保護部材１８を保護連結片１８ａと共にビス１８ｂによって外装部材７に取り付ける。
【００４２】
この後、外装部材７の上部外周にベゼル１４を連結リング１５によって取り付ける。これにより、腕時計ケース１が組み立てられる。この状態で、複数の押釦スイッチ３を腕時計ケース１に取り付ける。このときには、複数の押釦スイッチ３の各軸部を外装部材７の複数の釦露出孔７ｂからケース本体６の複数の釦挿入孔６ｂにそれぞれ挿入させ、この状態で複数の押釦スイッチ３の各釦頭部を外装部材７の複数の釦露出孔７ｂからそれぞれ外部に露出させて、複数の押釦スイッチ３をケース本体６に取り付ける。
【００４３】
そして、ケース本体６内に時計モジュール１０を中枠１１と共に下側から挿入させて組み付ける。この状態で、スイッチ装置２の操作軸を外装部材７のスイッチ露出孔７ａからケース本体６のスイッチ取付孔６ａに挿入させて時計モジュール１０内に差し込む。これにより、スイッチ装置２の操作頭部が外装部材７のスイッチ露出孔７ａから外部に露出した状態で、スイッチ装置２の操作軸部が時計モジュール１０に連結される。このときには、複数の押釦スイッチ３の各軸部が時計モジュール１０の各スイッチ部（図示せず）にそれぞれ対応する。
【００４４】
この状態で、腕時計ケース１に時計バンド４をバンド取付装置５によって取り付ける。このときには、まず、時計バンド４のバンド装着部２１に押え部材２４を配置する。この場合には、押え部材２４の一対の回転取付部３１をバンド装着部２１内に配置して、一対の回転取付部３１の各筒取付孔３１ａをバンド装着部２１の両側部の各連結孔２１ａに同一軸上に対応させる。これにより、押え部材２４の押え部３０がバンド装着部２１の上部側に配置されると共に、一対の固定部３２がバンド装着部２１の両側部から突出して配置される。
【００４５】
この状態で、時計バンド４のバンド装着部２１にケース本体６のバンド取付部２０を挿入させて配置する。このときには、ケース本体６のバンド取付部２０を押え部材２４の押え部３０とバンド装着部２１との間に挿入させてバンド装着部２１内に配置させる。すると、バンド取付部２０の取付孔２０ａに押え部材２４の各筒取付孔３１ａとバンド装着部２１の連結孔２１ａとが同一軸上に対応する。
【００４６】
そして、時計バンド４のバンド装着部２１と押え部材２４とを連結部材２２によってケース本体６のバンド取付部２０に連結させる。このときには、連結部材２２のピン部材２５をバンド装着部２１の両側部に設けられた連結孔２１ａの一方側から押え部材２４の一方の筒取付孔３１ａとバンド取付部２０の取付孔２０ａとに挿入させ、この挿入されたピン部材２５の端部を押え部材２４の他方の筒取付孔３１ａとバンド装着部２１の両側部に設けられた他方の連結孔２１ａに挿入させる。
【００４７】
この状態で、連結部材２２の一対の飾り部材２６をバンド装着部２１の両側部の各連結孔２１ａと押え部材２４の一対の回転取付部３１の各筒取付孔３１ａとに挿入させて、ピン部材２５の両側部に装着する。このときには、一対の飾り部材２６における各筒部２６ａをバンド装着部２１の両側部の各連結孔２１ａと押え部材２４の各筒取付孔３１ａとにそれぞれ挿入させると、各筒部２６ａ内の各補強パイプ２６ｃにピン部材２５の両端部が挿入される。
【００４８】
すると、ピン部材２５の両端部が一対の飾り部材２６の各蓋部２６ｂの内面にそれぞれ当接または接近し、各蓋部２６ｂの外周部がバンド装着部２１の両側部の外面にそれぞれ当接し、各筒部２６ａの内端部がバンド取付部２０の両端部にそれぞれ当接または接近する。これにより、時計バンド４のバンド装着部２１と押え部材２４とが連結部材２２によってケース本体６のバンド取付部２０に回転可能に連結される。
【００４９】
そして、バンド取付部２０上に規制部材２３を配置して一対の飾り部材２６の軸方向の位置を規制する。このときには、連結部材２２の一対の飾り部材２６を中心に押え部材２４をその押え部３０が外装部材７から離れる方向に回転させる。すると、押え部材２４の押え部３０と外装部材７との間が開いてケース本体６のバンド取付部２０が露出する。この状態で、規制部材２３を押え部材２４の押え部３０と外装部材７との間からバンド取付部２０上に配置する。
【００５０】
このときには、規制部材２３の板状部２７に設けられた複数の孔部２７ａにピンセットなどの工具を挿入させて規制部材２３を摘まみ、この摘まれた規制部材２３をバンド取付部２０の上面に配置させる。すると、規制部材２３の一対の側壁部２８に設けられた各規制部２８ａが一対の飾り部材２６の各筒部２６ａの外周に設けられた各係合溝２６ｄに連結部材２２の軸方向と直交する方向にそれぞれ係合して、規制部材２３の板状部２７がバンド取付部２０の上面に配置される。
【００５１】
これにより、一対の飾り部材２６は、ピン部材２５の両端部から抜け出すことがなく、規制部材２３によって軸方向の位置が規制される。このため、連結部材２２は、バンド装着部２１の両側部に設けられた各連結孔２１ａ、押え部材２４の各筒取付孔３１ａ、およびバンド取付部２０の取付孔２０ａから抜け出すことがなく、規制部材２３によって軸方向の位置が確実に規制される。
【００５２】
そして、連結部材２２の一対の飾り部材２６を中心に押え部材２４をその押え部３０が外装部材７に接近する方向に回転させて、押え部材２４の押え部３０を規制部材２３上に押し当てる。すると、規制部材２３の一対の側壁部２８の各規制部２８ａが一対の飾り部材２６の各筒部２６ａの外周にそれぞれ設けられた各係合溝２６ｄに確実に食込んで係合される。
【００５３】
このときには、押え部材２４の一対の固定部３２が外装部材７の外周部に設けられた一対の突起部３４にそれぞれ対応して配置される。この状態では、一対の固定部３２の各ビス挿入孔３２ａが一対の突起部３４の各ねじ孔３４ａに対応する。このため、一対の固定部３２の各ビス挿入孔３２ａに各ビス３３を各ワッシャ３３ａと共に挿入させて一対の突起部３４の各ねじ孔３４ａにそれぞれ螺着させて締め付ける。
【００５４】
これにより、押え部材２４が規制部材２３を連結部材２２の一対の飾り部２６に押え付けた状態で、外装部材７に固定されることにより、押え部材２４がケース本体６に対して固定されて腕時計ケース１に固定される。この結果、時計バンド４がケース本体６にバンド取付装置５によって取り付けられる。そして、ケース本体６の下面に裏蓋１２を防水リング１２ａと共にビス１３によって取り付ける。これにより、腕時計が組み立てられる。
【００５５】
このように組み立てられた腕時計は、時計バンド４によって腕に取り付けて使用することができる。この場合には、腕時計が、連続する細かい振動や、腕に対する時計バンド４の着脱操作による時計バンド４の回転動作などによって、腕時計ケース１に対する時計バンド４の連結状態が緩むことがなく、腕時計ケース１に対する時計バンド４の連結状態を確実に維持することができる。
【００５６】
すなわち、この腕時計のバンド取付装置５は、腕時計ケース１のケース本体６に設けられたバンド取付部２０が、時計バンド４の端部４ａに設けられたバンド装着部２１に配置され、この状態でバンド取付部２０に設けられた取付孔２０ａとこれに同一軸上に対応するバンド装着部２１の両側に設けられた各連結孔２１ａとに連結部材２２が挿入されているので、バンド取付部２０とバンド装着部２１とが連結部材２２によって確実に連結され、この連結部材２２が規制部材２３によってバンド取付部２０に対する連結部材２２の軸方向の位置が確実に規制される。
【００５７】
このため、このバンド取付装置５では、ねじ部材を用いずに、バンド取付部２０とバンド装着部２１とが連結部材２２によって連結され、この状態で連結部材２２の軸方向の位置が規制部材２３によって規制されているので、連続する細かい振動や、腕に対する時計バンド４の着脱操作による時計バンド４の回転動作などによって、連結部材２２がバンド取付部２０の取付孔２０ａとバンド装着部２１の両側部の各連結孔２１ａとから緩んで抜け出すことがなく、腕時計ケース１に対する時計バンド４の連結状態が確実に維持される。
【００５８】
この場合、連結部材２２は、バンド取付部２０の取付孔２０ａとバンド装着部２１の両側部の各連結孔２１ａとに挿入するピン部材２５と、バンド装着部２１の両側部の各連結孔２１ａに挿入してピン部材２５の両端部にこれらを覆って取り付けられる一対の飾り部材２６と、を備えていることにより、バンド取付部２０の取付孔２０ａとバンド装着部２１の両側部の各連結孔２１ａとにピン部材２５を挿入し、このピン部材２５の両端部に一対の飾り部材２６を取り付けるだけで、簡単にかつ確実にバンド取付部２０とバンド装着部２１とが連結部材２２によって連結される。
【００５９】
すなわち、一対の飾り部材２６それぞれは、ピン部材２５の両端部が挿入する筒部２６ａと、この筒部２６ａの外端部にこれを塞いで設けられた蓋部２６ｂと、を備え、バンド取付部２０の取付孔２０ａとバンド装着部２１の両側部の各連結孔２１ａとに挿入されたピン部材２５の両端部に各筒部２６ａを装着させて各蓋部２６ｂの内面に当接または接近させるだけで、各蓋部２６ｂの外周部がバンド装着部２１の両側部の外面に当接し、各筒部２６ａの内端部がバンド取付部２０の両端部に当接または接近し、この状態でバンド取付部２０とバンド装着部２１とが確実に連結される。
【００６０】
この場合、一対の飾り部材２６は、その各筒部２６ａの外周面にそれぞれ係合溝２６ｄが環状に設けられ、規制部材２３は、バンド取付部２０上に配置される板状部２７と、この板状部２７の下面に設けられて各筒部２６ａの各係合溝２６ｄに対応する一対の側壁部２８と、を備え、これら一対の側壁部２８にそれぞれ設けられた各規制部２８ａが各筒部２６ａの各係合溝２６ｄにそれぞれ連結部材２２の軸方向と直交する方向から挿入して係合することにより、規制部材２３によって一対の飾り部材２６の軸方向の位置が確実に規制される。
【００６１】
このため、このバンド取付装置５では、規制部材２３によって連結部材２２の軸方向の位置が確実に規制されていることにより、連続する細かい振動や、腕に対する時計バンド４の着脱操作による時計バンド４の回転動作などによる連結部材２２の緩みを確実に防ぎ、バンド取付部２０の取付孔２０ａとバンド装着部２１の両側部の各連結孔２１ａとから連結部材２２が抜け出すのを確実にかつ良好に防ぐことができる。
【００６２】
この場合、規制部材２３は押え部材２４によって上方から押え付けられているので、連続する細かい振動や、腕に対する時計バンド４の着脱操作による時計バンド４の回転動作などによって、規制部材２３の一対の側壁部２８の各規制部２８ａが一対の飾り部材２６の各筒部２６ａの各係合溝２６ｄから離脱することがなく、各係合溝２６ｄに対する各規制部２８ａの係合を確実に維持することができる。
【００６３】
すなわち、押え部材２４は、規制部材２３の上面に配置される押え部３０と、この押え部３０の下面に設けられて連結部材２２に回転可能に取り付けられる一対の回転取付部３１と、押え部３０の両側部に設けられて外装部材７に固定される一対の固定部３２と、を備え、一対の回転取付部３１が連結部材２２に回転可能に取り付けられた状態で、一対の固定部３２がビス３３によって外装部材７の一対の突起部３４に固定されていることにより、押え部３０が規制部材２３をバンド取付部２０に確実に押え付ける。
【００６４】
このため、連続する細かい振動や、腕に対する時計バンド４の着脱操作による時計バンド４の回転動作などによって、一対の固定部３２を外装部材７の一対の突起部３４に固定する各ビス３３が緩んでも、規制部材２３が押え部３０と外装部材７との間を通して不用意に抜け出すことがない。これにより、規制部材２３の各規制部２８ａを一対の飾り部材２６における各筒部２６ａの各係合溝２６ｄに確実に係合させることができるので、腕時計ケース１に対する時計バンド４の連結状態を確実に維持する。
【００６５】
また、押え部材２４は、一対の回転取付部３１が連結部材２２に回転可能に取り付けられていることにより、連結部材２２を中心に押え部材２４を回転させて押え部３０と外装部材７との間を開放させることができる。このため、押え部３０と外装部材７との間を通して規制部材２３がバンド装着部２１内に挿脱可能に配置されることにより、バンド装着部２１に押え部材２４とバンド取付部２０とを連結部材２２で連結させた状態で、規制部材２３を着脱可能に配置することができる。
【００６６】
このときには、規制部材２３の板状部２７に設けられた複数の孔部２７ａにピンセットなどの工具を挿入させて規制部材２３を摘まむことができる。このため、押え部３０と外装部材７との間を通して、摘まんだ規制部材２３をバンド取付部２０の上面に容易に配置させたり、バンド取付部２０の上面から簡単に取り外したりすることができるので、規制部材２３の着脱作業が容易にできる。
【００６７】
このように、この腕時計のバンド取付装置５によれば、バンド取付部２０が設けられた腕時計ケース１と、このバンド取付部２０が配置されるバンド装着部２１が設けられた時計バンド４と、この時計バンド４のバンド装着部２１をバンド取付部２０に連結する連結部材２２と、バンド取付部２０に対する連結部材２２の軸方向の位置を規制する規制部材２３と、を備えていることにより、腕時計ケース１に対する時計バンド４の連結状態を確実に維持することができる。
【００６８】
すなわち、このバンド取付装置５では、腕時計ケース１のケース本体６に設けられたバンド取付部２０を、時計バンド４の端部４ａに設けられたバンド装着部２１に配置し、この状態でバンド取付部２０と時計バンド４のバンド装着部２１とを連結部材２２で確実に連結させることができ、この連結部材２２の軸方向の位置を規制部材２３によって確実に規制することができる。
【００６９】
このため、このバンド取付装置５では、ねじ部材を用いずに、バンド取付部２０とバンド装着部２１とを連結することができるので、連続する細かい振動や、腕に対する時計バンド４の着脱操作による時計バンド４の回転動作などによって、連結部材２２がバンド取付部２０とバンド装着部２１とから緩んで脱落することがなく、腕時計ケース１に対する時計バンド４の連結状態を確実に維持することができる。
【００７０】
この場合、連結部材２２は、規制部材２３によって連結部材２２の軸方向の位置が規制される係合溝２６ｄを備えていることにより、この係合溝２６ｄに規制部材２３を係合させることができ、これにより連結部材２２の軸方向の位置を規制部材２３によって確実に規制することができるので、腕時計ケース１に対する時計バンド４の連結状態を確実に維持することができる。
【００７１】
また、連結部材２２は、バンド取付部２０の取付孔２０ａとバンド装着部２１の両側部の各連結孔２１ａとの挿入するピン部材２５と、バンド装着部２１の両側部の各連結孔２１ａに挿入してピン部材２５の両端部にこれらを覆って取り付けられる一対の飾り部材２６と、を備えているので、連結部材２２によって確実にバンド取付部２０とバンド装着部２１とを連結することができる。
【００７２】
すなわち、この連結部材２２は、バンド取付部２０の取付孔２０ａとバンド装着部２１の両側部の各連結孔２１ａとにピン部材２５を挿入させるだけで、簡単にかつ確実にバンド取付部２０とバンド装着部２１とを連結することができると共に、このピン部材２５の両端部に一対の飾り部材２６を取り付けることにより、ピン部材２５の両端部が外部に露出しないため、一対の飾り部材２６によって装飾性を高めることができる。
【００７３】
この場合、一対の飾り部材２６それぞれは、ピン部材２５の両端部が挿入する筒部２６ａと、この筒部２６ａの外端部にこれを塞いで設けられた蓋部２６ｂと、を備えているので、バンド取付部２０の取付孔２０ａとバンド装着部２１の両側部の各連結孔２１ａとに挿入されたピン部材２５の両端部に各筒部２６ａをそれぞれ装着させて各蓋部２６ｂの内面に当接または接近させるだけで、ピン部材２５の両端部に一対の飾り部材２６を簡単に取り付けることができる。
【００７４】
このため、一対の飾り部材２６は、ピン部材２５の両端部に各筒部２６ａをそれぞれ取り付けた際に、ピン部材２５の両端部が外部に露出せずに、一対の飾り部材２６によって覆われることにより、装飾性を高めることができるので、外観的にもデザイン的に好ましいものを得ることができるほか、各蓋部２６ｂの外周部をバンド装着部２１の両側部の外面に当接させ、各筒部２６ａの内端部をバンド取付部２０の両端部に当接または接近させた状態で、ピン部材２５の両端部に一対の飾り部材２６を確実にかつ良好に取り付けることができる。
【００７５】
この場合、一対の飾り部材２６は、その各筒部２６ａの外周面に係合溝２６ｄがそれぞれ環状に設けられ、規制部材２３は、一対の飾り部材２６の各係合溝２６ｄに連結部材２２の軸方向と直交する方向から係合する規制部２８ａがそれぞれ設けられていることにより、規制部材２３の各規制部２８ａを一対の飾り部材２６の各係合溝２６ｄに確実にかつ良好に係合させることができる。
【００７６】
このため、このバンド取付装置５では、規制部材２３の各規制部２８ａによって一対の飾り部材２６における連結部材２２の軸方向の位置を確実にかつ良好に規制することができるので、連続する細かい振動や、腕に対する時計バンド４の着脱操作による時計バンド４の回転動作などによる連結部材２２の緩みを確実に防ぐことができる。
【００７７】
すなわち、規制部材２３は、バンド取付部２０上に配置される板状部２７と、この板状部２７の下面に設けられて各筒部２６ａの各係合溝２６ｄに対応する一対の側壁部２８と、を備え、これら一対の側壁部２８に規制部２８ａがそれぞれ設けられ、こられ規制部２８ａが各筒部２６ａの各係合溝２６ｄにそれぞれ連結部材２２の軸方向と直交する方向から係合することにより、規制部材２３によって一対の飾り部材２６をピン部材２５に押し付けてバンド取付部２０に押し付けることができると共に、一対の飾り部材２６の軸方向の位置を確実に規制することができる。
【００７８】
これにより、このバンド取付装置５では、規制部材２３によって連結部材２２の軸方向の位置を確実に規制することができるので、連続する細かい振動や、腕に対する時計バンド４の着脱操作による時計バンド４の回転動作などによる連結部材２２の緩みを確実に防ぐことができ、これによりバンド取付部２０の取付孔２０ａとバンド装着部２１の両側部の各連結孔２１ａとの連結状態を確実にかつ良好に維持することができる。
【００７９】
また、このバンド取付装置５では、ケース本体６に対して固定されて規制部材２３を連結部材２２に押え付ける押え部材２４を備えているので、連続する細かい振動や、腕に対する時計バンド４の着脱操作による時計バンド４の回転動作などによって、規制部材２３の一対の側壁部２８の各規制部２８ａが一対の飾り部材２６の各筒部２６ａの各係合溝２６ｄから離脱することがなく、各係合溝２６ｄに対する各規制部２８ａの係合を確実に維持することができる。
【００８０】
すなわち、押え部材２４は、規制部材２３の上面に配置される押え部３０と、押え部３０の両側部に設けられてケース本体６の外周部に設けられた外装部材７に固定される一対の固定部３２と、を備えているので、一対の固定部３２をビス３３によって外装部材７に設けられた一対の突起部３４に固定することができ、これにより押え部３０が規制部材２３をバンド取付部２０に確実に押え付けることができる。
【００８１】
このため、このバンド取付装置５では、連続する細かい振動や、腕に対する時計バンド４の着脱操作による時計バンド４の回転動作などによって、一対の固定部３２を外装部材７の一対の突起部３４に固定するビス３３が緩んでも、規制部材２３が押え部３０と外装部材７との間を通して不用意に抜け出すことがない。これにより、バンド取付部２０の取付孔２０ａとバンド装着部２１の両側部の各連結孔２１ａとから連結部材２２が抜け出すことがなく、腕時計ケース１に対する時計バンド４の連結状態を確実に維持することができる。
【００８２】
また、押え部材２４は、連結部材２２に回転可能に取り付けられる一対の回転取付部３１を備えていることにより、連続する細かい振動や、腕に対する時計バンド４の着脱操作による時計バンド４の回転動作などによって、一対の固定部３２を外装部材７の一対の突起部３４に固定するビス３３が緩んでも、押え部材２４の一対の回転取付部３１が連結部材２２に回転可能に取り付けられているため、規制部材２３が押え部３０と外装部材７との間を通して不用意に抜け出ないようにすることができる。
【００８３】
また、押え部材２４は、一対の回転取付部３１が連結部材２２に回転可能に取り付けられるので、連結部材２２を中心に押え部材２４を回転させて押え部３０と外装部材７との間を開放させることができる。このため、押え部３０と外装部材７との間を通して規制部材２３をバンド装着部２１内に挿脱可能に配置させることができるので、バンド装着部２１に押え部材２４とバンド取付部２０とを連結部材２２で連結させた状態で、規制部材２３を簡単にかつ容易に配置することができる。
【００８４】
このときには、規制部材２３の板状部２７に複数の孔部２７ａが設けられているので、これら複数の孔部２７ａにピンセットなどの工具を挿入させて規制部材２３を摘まむことができる。このため、押え部３０と外装部材７との間を通して、摘まんだ規制部材２３をバンド取付部２０の上面に容易に配置させたり、バンド取付部２０の上面から簡単に取り外したりすることができるので、規制部材２３の着脱作業を容易に行うことができる。
【００８５】
なお、上述した実施形態では、連結部材２２をピン部材２５と一対の飾り部材２６とで構成し、一対の飾り部材２６に係合溝２６ｄをそれぞれ設け、これら係合溝２６ｄに規制部材２３の各規制部２８ａを係合させるように構成した場合について述べたが、この発明はこれに限らず、例えば連結部材２２をピン部材のみで構成し、このピン部材に係合溝を直接形成し、この係合溝に規制部材２３の規制部２８ａを係合させるように構成しても良い。
【００８６】
この場合、一対の飾り部材２６は無くても良いし、ピン部材にねじ止めされる構成でも良い。また、上述した実施形態では、一対の飾り部材２６の筒部２６ａの内部に補強パイプ２６ｃを配置するようにしたが、補強パイプ２６ｃは無くても良い。
【００８７】
また、上述した実施形態では、腕時計に適用した場合について述べたが、この発明は必ずしも腕時計である必要はなく、例えば腕に取り付けて使用する腕装着装置や、バッグ、鞄などにも適用することができる。
【００８８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８９】
（付記）
請求項１に記載の発明は、バンド取付部が設けられたケースと、前記バンド取付部が配置される装着部が設けられたバンドと、前記バンドの前記装着部を前記バンド取付部に連結する連結部材と、前記バンド取付部に対する前記連結部材の軸方向の位置を規制する規制部材と、を備えていることを特徴とするバンド取付装置である。
【００９０】
請求項２に記載の発明は、請求項１に記載のバンド取付装置において、前記連結部材は、前記規制部材によって前記連結部材の軸方向の位置が規制される係合部を備えていることを特徴とするバンド取付装置である。
【００９１】
請求項３に記載の発明は、請求項１または請求項２に記載のバンド取付装置において、前記連結部材は、前記バンド取付部に設けられた取付孔と前記装着部に前記取付孔と同一軸上に対応して設けられた連結孔とに挿入するピン部材と、前記装着部の前記連結孔に挿入されて前記ピン部材の両端部にこれらを覆ってそれぞれ取り付けられる飾り部材と、を備えていることを特徴とするバンド取付装置である。
【００９２】
請求項４に記載の発明は、請求項３に記載のバンド取付装置において、前記飾り部材には、前記規制部材が係合する前記係合部が設けられ、前記規制部材には、前記飾り部材の前記係合部に前記連結部材の軸方向と直交する方向から係合する規制部が設けられていることを特徴とするバンド取付装置である。
【００９３】
請求項５に記載の発明は、請求項１〜請求項４のいずれかに記載のバンド取付装置において、前記ケースに固定されて前記規制部材を前記連結部材に押し付ける押え部材を備えていることを特徴とするバンド取付装置である。
【００９４】
請求項６に記載の発明は、請求項５に記載のバンド取付装置において、前記押え部材は、前記連結部材に回転可能に取り付けられていることを特徴とするバンド取付装置である。
【００９５】
請求項７に記載の発明は、請求項１〜請求項６のいずれかに記載されたバンド取付装置を備えていることを特徴とする時計である。
【符号の説明】
【００９６】
１  腕時計ケース
４  時計バンド
４ａ  端部
５  バンド取付装置
６  ケース本体
７  外装部材
２０  バンド取付部
２０ａ  取付孔
２１  バンド装着部
２１ａ  連結孔
２２  連結部材
２３  規制部材
２４  押え部材
２５  ピン部材
２６  飾り部材
２６ａ  筒部
２６ｂ  蓋部
２６ｃ  パイプ部
２６ｄ  係合溝
２７  板状部
２８  側壁部
２８ａ  規制部
３０  押え部
３１  回転取付部
３１ａ  筒取付孔
３２  固定部
３３  ビス
３４  突起部
【図１】
2018081032.tif 000003
【図２】
2018081032.tif 000004
【図３】
2018081032.tif 000005